(57)【要約】【課題】設定により特定の計測値を収集する方式で、トレンドグラフ表示上で重要かつ適切な計測項目をユーザが直感的にかつ容易に選択することができる。【解決手段】多数の計測値シンボルから任意の１つの計測値シンボルが選択されたとき、当該計測項目がトレンドデータ収集処理部でデータ処理中か否かをチェックし（Ｓ１，Ｓ２）、選択された計測項目を含めて、現在までに選択された計測項目の数が設定収集項目数を越えたか否かをチェックし（Ｓ３）、計測項目が設定収集項目数を越えたときは最古の計測項目に代えて選択された計測項目をトレンドデータ収集項目に切り替え（Ｓ４）、トレンドデータＢから当該選択項目のトレンドデータの収集を開始し（Ｓ５）、当該計測項目についてのトレンド表示頻度情報を更新し（Ｓ６）、当該計測項目のトレンドデータをトレンドグラフとして表示する（Ｓ７）。【選択図】図１
2008102803.tif 000002
【特許請求の範囲】
【請求項１】
監視制御システムにおける計測履歴データをトレンドデータ収集機構で収集し、このデータをトレンドグラフ表示機構でトレンドグラフとして表示するための計測履歴データの収集方法であって、
前記トレンドグラフ表示機構は、
プラント監視画面上に表示される多数の計測値シンボルから任意の１つの計測値シンボルが選択されたとき、当該計測項目が前記トレンドデータ収集機構でデータ処理中か否かをチェックする過程と、
前記データ収集中でないとき、選択された計測項目を含めて、現在までに選択された計測項目の数が設定収集項目数を越えたか否かをチェックする過程と、
前記計測項目が設定収集項目数を越えたとき、最古の計測項目に代えて、前記選択された計測項目をトレンドデータ収集項目に切り替える過程と、
前記計測項目が設定収集項目数を越えていないとき、または前記計測項目の切り替えがなされたとき、トレンドデータから当該選択項目のトレンドデータの収集を開始する過程と、
前記トレンドデータの収集を開始、または前記シンボル選択した計測項目のトレンドデータの収集中に、当該計測項目のトレンドデータをトレンドグラフとして表示する過程とを有することを特徴とする計測履歴データの収集方法。
【請求項２】
前記トレンドグラフ表示機構は、前記トレンドデータの収集を開始したとき、または前記シンボル選択した計測項目のトレンドデータの収集中のとき、当該計測項目についてのトレンド表示頻度情報を更新する過程を有し、
前記トレンドデータ収集機構は、前記トレンド表示頻度情報によって表示頻度の低い計測項目の収集を放棄する過程を有することを特徴とする請求項１に記載の計測履歴データの収集方法。
【発明の詳細な説明】
【技術分野】
【０００１】
本発明は、監視制御システムにより計測履歴データを収集し、このデータをトレンドグラフとして表示するための計測履歴データの収集方法に関する。
【背景技術】
【０００２】
監視制御システムは、現場側の各種設備・機器の計測値などの多くの監視情報を監視室側のコンピュータシステムに収集し、監視室側では監視情報およびオペレータによる操作情報を基に制御情報を生成して現場側のコントローラに伝送し、コントローラによる設備・機器の制御を行う機能構成にされる。
【０００３】
監視室側のコンピュータシステムは、監視制御対象となるプラントの監視制御情報を主に処理する監視制御用コンピュータと、管理情報を処理する管理用コンピュータをＬＡＮなどでネットワーク接続し、各種情報のやり取りを可能にしている。
【０００４】
監視室側のコンピュータシステムでは、従来のペンレコーダの代替機能として、計測値のトレンドグラフ表示を行うのが一般的である。この計測値のトレンドグラフ表示には、外部記憶装置としてのハードディスクの大容量化、コンピュータの性能向上によって、長期間保存、多数項目の計測値を記録可能にしている。
【０００５】
トレンドデータの収集方式としては、監視している全点を収集する方式と、設定により特定の計測値を収集する方式がある。
【０００６】
また、計測値がノイズ等で欠損した場合に、あらかじめ設定している計測設定値をプラントデータとして計測させるもの（例えば、特許文献１参照）、欠損した時刻の近傍の計測値から補間するもの（例えば、特許文献２参照）があり、これらデータも計測値として収集およびトレンドグラフ表示に使用される。
【特許文献１】特開平０８−０３０３２０号公報
【特許文献２】特開平０７−３２４９５０号公報
【発明の開示】
【発明が解決しようとする課題】
【０００７】
前記の特許文献１、２の収集方式は、計測値の収集にはその欠損を補償した記録が可能となり、前記の計測値の収集方式と組み合わせることで、欠損のないトレンドデータを得ることができる。
【０００８】
ここで、トレンドデータの収集には、前記のように監視している全点を収集する方式と、設定により特定の計測値を収集する方式が採用される。
【０００９】
前者の収集方式は、設定操作をあらかじめ行っていない場合でも、ユーザが参照したいときにデータ表示が可能であるという利点がある。この反面、ユーザが必要としないデータについてもハードディスクに保存されるため、コンピュータの資源容量を圧迫し、障害発生時の復元用バックアップ作成の時間を長引かせてしまう。
【００１０】
後者の収集方式は、資源容量面では前者に比べて効率的であるが、トレンドグラフ表示上で重要かつ適切な計測項目をあらかじめ設定する手間が必要となる。また、設定は、計測項目名称をキーとして設定するため、ユーザにとって直感的なインタフェースをもつことができない。
【００１１】
本発明の目的は、設定により特定の計測値を収集する方式において、トレンドグラフ表示上で重要かつ適切な計測項目をユーザが直感的にかつ容易に選択することができる計測履歴データの収集方法を提供することにある。
【課題を解決するための手段】
【００１２】
本発明は、前記の課題を解決するため、プラント監視画面上の計測値シンボルを適宜選択することで、トレンドデータ収集項目数に制限および制限の基に最古の計測項目に代えて当該計測項目についてトレンドデータ収集を行い、当該計測項目のトレンドグラフを表示するようにしたもので、以下の方法を特徴とする。
【００１３】
（１）監視制御システムにおける計測履歴データをトレンドデータ収集機構で収集し、このデータをトレンドグラフ表示機構でトレンドグラフとして表示するための計測履歴データの収集方法であって、
前記トレンドグラフ表示機構は、
プラント監視画面上に表示される多数の計測値シンボルから任意の１つの計測値シンボルが選択されたとき、当該計測項目が前記トレンドデータ収集機構でデータ処理中か否かをチェックする過程と、
前記データ収集中でないとき、選択された計測項目を含めて、現在までに選択された計測項目の数が設定収集項目数を越えたか否かをチェックする過程と、
前記計測項目が設定収集項目数を越えたとき、最古の計測項目に代えて、前記選択された計測項目をトレンドデータ収集項目に切り替える過程と、
前記計測項目が設定収集項目数を越えていないとき、または前記計測項目の切り替えがなされたとき、トレンドデータから当該選択項目のトレンドデータの収集を開始する過程と、
前記トレンドデータの収集を開始、または前記シンボル選択した計測項目のトレンドデータの収集中に、当該計測項目のトレンドデータをトレンドグラフとして表示する過程とを有することを特徴とする。
【００１４】
（２）前記トレンドグラフ表示機構は、前記トレンドデータの収集を開始したとき、または前記シンボル選択した計測項目のトレンドデータの収集中のとき、当該計測項目についてのトレンド表示頻度情報を更新する過程を有し、
前記トレンドデータ収集機構は、前記トレンド表示頻度情報によって表示頻度の低い計測項目の収集を放棄する過程を有することを特徴とする。
【発明の効果】
【００１５】
以上のとおり、本発明によれば、プラント監視画面上の計測値シンボルを適宜選択することで、トレンドデータ収集項目数に制限および制限の基に最古の計測項目に代えて当該計測項目についてトレンドデータ収集を行い、当該計測項目のトレンドグラフを表示するようにしたため、設定により特定の計測値を収集する方式において、トレンドグラフ表示上で重要かつ適切な計測項目をユーザが直感的にかつ容易に選択することができる。
【００１６】
また、トレンド表示頻度情報をもつことで、表示頻度の低い計測項目の収集を放棄し、トレンドデータに収集する計測項目数がいたずらに増大するのを減らしてそのデータ占有量を抑制し、表示要求される頻度の高いトレンドデータのみを表示可能にする。
【発明を実施するための最良の形態】
【００１７】
図１は、本発明の実施形態を示すトレンドグラフ表示フローであり、トレンドデータ収集処理機能も模式図で示す。
【００１８】
トレンドデータ収集機構のトレンドデータ収集処理部Ａは、各種の多数の計測値の内からトレンドデータとして選択された項目および収集項目数Ｎをハードディスクに領域確保するトレンドデータＢに収集する。これら選択項目および収集項目数Ｎはトレンドグラフ表示機構から与えられ、収集項目数Ｎは全計測項目数の１割程度に制限する。また、トレンドデータ収集処理部Ａは、計測値に欠損が生じた場合には、その補間等によってデータ欠損を補償する。
【００１９】
トレンドグラフ表示機構は、処理Ｓ１〜Ｓ７によってトレンドグラフ表示処理を行い、ディスプレイＣにトレンドグラフの表示出力を得る。以下、処理Ｓ１〜Ｓ７を詳細に説明する。
【００２０】
（Ｓ１）ディスプレイＣに初期表示されるプラント監視画面上に多数の計測値シンボルを一括または階層を持たせて表示し、トレンドグラフ表示しようとする計測値シンボルの選択を可能にしておく。なお、プラント監視画面は、プラントの現在状態をグラフィカルに表現し、機器の運転状態や計測値の現在値を実際のプラントを模して表示する。
【００２１】
（Ｓ２）上記のプラント監視画面上から任意の１つの計測値シンボルが選択（クリック）されたとき、当該計測項目がトレンドデータ収集処理部Ａでデータ処理中か否かをチェックする。
【００２２】
（Ｓ３）選択された計測項目のデータ収集中でないとき、選択された計測項目を含めて、現在までに選択された計測項目の数が設定収集項目数Ｎを越えたか否かをチェックする。
【００２３】
（Ｓ４）計測項目が設定収集項目数Ｎを越えたとき、最古に参照した計測項目のデータ収集を終了し、最古の計測項目に代えて、処理Ｓ１で選択された計測項目をトレンドデータ収集項目に切り替える。
【００２４】
（Ｓ５）計測項目が設定収集項目数Ｎを越えていないとき、または設定収集項目数Ｎを越えて計測項目の切り替えがなされたとき、トレンドデータＢから当該選択項目のトレンドデータの収集を開始する。
【００２５】
（Ｓ６）上記のＳ５でトレンドデータの収集を開始したとき、またはＳ２でシンボル選択した計測項目についてトレンドデータの収集中のとき、当該計測項目についてのトレンド表示頻度情報を更新する。このトレンド表示頻度情報は、トレンドデータ収集処理部Ａで参照し、表示頻度の低い計測項目の収集を放棄する。これにより、トレンドデータＢに収集する計測項目数がいたずらに増大するのを減らしてそのデータ占有量を抑制し、表示要求される頻度の高いトレンドデータのみを表示可能にする。
【００２６】
（Ｓ７）選択した計測項目について収集したトレンドデータをディスプレイＣにグラフ表示する。
【００２７】
以上の処理により、トレンドデータの表示には、プラント監視画面上の計測値シンボルが選択されたとき、トレンドデータ収集項目数Ｎに制限および制限の基に最古の計測項目に代えて当該計測項目についてトレンドデータ収集を行い、当該計測項目のトレンドグラフを表示する。この収集方法により、ユーザが画面上で任意のシンボルを選択操作することで、トレンド表示上で重要かつ適切な計測項目を直感的にかつ容易に選択することができる。
【００２８】
また、計測項目のトレンドデータ表示頻度が低いものはその収集を抑制することで収集項目数を少なくし、すなわちハードディスクに対するトレンドデータの占有量を減らし、表示要求されるトレンドデータの確実な表示を可能にする。
【図面の簡単な説明】
【００２９】
【図１】本発明の実施形態を示すトレンドグラフ表示フロー。
【符号の説明】
【００３０】
Ａ  トレンドデータ収集処理部
Ｂ  トレンドデータ
Ｃ  ディスプレイ
【図１】
2008102803.tif 000003